(57)【要約】      （修正有）【課題】複数の方向から把取及び操作が可能な内視鏡ハンドルを提供する。直立状の把持、水平状の把持又は銃型の把持が可能であり、且つ各種把取方式を手軽に切り替えることができ、操作中の手首や持ち方を過度に変えることなく、身体の異なる部位の内視鏡検査や異なる検査姿勢の被検者に対応可能となるため、内視鏡検査の効率向上や操作の使用範囲の拡大が可能になるとともに、より良好な操作の利便性を提供可能となる内視鏡ハンドルを提供する。【解決手段】内視鏡のハンドルは、複数の指用把持凹溝１１、及び複数の指用把持凹溝と対向して設置される押動レバー部１２を含む把持本体１０、把持本体の第１端１０１から延伸するよう設置される第１延伸部２０１、及び、把持本体の第２端１０２から第１端とは反対の方向に延伸するよう設置される第２延伸部２０２、を含み、第１端は前記第２端と対向している。【選択図】図１
0003233608.tif 000002
【実用新案登録請求の範囲】
【請求項１】
内視鏡のハンドルであって、
複数の指用把持凹溝、及び複数の前記指用把持凹溝と対向して設置される押動レバー部を含む把持本体、
前記把持本体の第１端から延伸するよう設置される第１延伸部、及び
前記把持本体の第２端から前記第１端とは反対の方向に延伸するよう設置される第２延伸部、を含み、
前記第１端は前記第２端と対向している内視鏡のハンドル。
【請求項２】
前記第１延伸部又は前記第２延伸部には診察チューブが設置されている請求項１に記載の内視鏡のハンドル。
【請求項３】
前記第１延伸部又は前記第２延伸部は、前記診察チューブを固定するための蓋体を有している請求項２に記載の内視鏡のハンドル。
【請求項４】
前記第１延伸部又は前記第２延伸部には信号ケーブルが設置されている請求項１に記載の内視鏡のハンドル。
【請求項５】
前記第１延伸部又は前記第２延伸部は、前記信号ケーブルを固定するための蓋体を有している請求項４に記載の内視鏡のハンドル。
【請求項６】
前記第１延伸部は、第１曲率で前記把持本体の前記第１端から延伸するよう設置され、前記第２延伸部は、第２曲率で前記把持本体の前記第２端から延伸するよう設置され、前記第１曲率と前記第２曲率の曲率方向は同一ではない請求項１に記載の内視鏡のハンドル。
【請求項７】
前記押動レバー部から前記第１延伸部までが第１手掌当接部である請求項１に記載の内視鏡のハンドル。
【請求項８】
前記押動レバー部から前記第２延伸部までが第２手掌当接部である請求項１に記載の内視鏡のハンドル。
【請求項９】
前記第１延伸部の長さは約９０ｍｍ超であり、且つ、前記第２延伸部の長さは約９０ｍｍ超である請求項１に記載の内視鏡のハンドル。
【考案の詳細な説明】
【技術分野】
【０００１】
本考案は、内視鏡のハンドルに関し、特に、複数の方向から把取可能な内視鏡のハンドルに関する。
【背景技術】
【０００２】
人体にチューブを挿入し、最小限のダメージで体内の器官や組織を観察可能とする内視鏡は、現代医療で一般的に用いられる検査器具となっている。消化管、呼吸器、尿路、女性生殖器系、腹腔、関節腔、胸部等の部位は、いずれも内視鏡を応用可能な範囲にあたる。しかし、検査部位の違いや、被検者の検査姿勢（臥位或いは座位、立位）の変化といった要因を考慮して、操作者は、操作中の手首を自身で回転させたり、内視鏡ハンドルの持ち方（垂直に使用するか水平に使用するか）を変更したりして検査角度を調整し、最適な探査視野を確保せねばならないことがあり、使用にあたり多くの不都合が生じる恐れがある。そこで、複数の方向から把取及び操作が可能な内視鏡ハンドルを発展させて、内視鏡検査の効率向上に有利とし、且つ操作の利便性を提供可能とすることが求められている。
【考案の概要】
【考案が解決しようとする課題】
【０００３】
本考案の目的は、複数の方向から把取及び操作が可能な内視鏡ハンドルを提供することである。前記ハンドルの構造設計によれば、操作者は、直立状の把持、水平状の把持又は銃型の把持が可能であり、且つ各種把取方式を手軽に切り替えることができる。よって、操作者は、操作中の手首や持ち方を過度に変えることなく、身体の異なる部位の内視鏡検査や異なる検査姿勢の被検者に対応可能となるため、内視鏡検査の効率向上や操作の使用範囲の拡大が可能になるとともに、より良好な操作の利便性を提供可能となる。
【課題を解決するための手段】
【０００４】
本考案の一実施例における内視鏡のハンドルは、複数の指用把持凹溝、及び複数の指用把持凹溝と対向して設置される押動レバー部を含む把持本体、把持本体の第１端から延伸するよう設置される第１延伸部、及び、把持本体の第２端から第１端とは反対の方向に延伸するよう設置される第２延伸部、を含み、第１端は前記第２端と対向している。
【０００５】
好ましくは、第１延伸部又は第２延伸部には診察チューブを設置可能である。
【０００６】
好ましくは、第１延伸部又は第２延伸部は、診察チューブを固定するための蓋体を有し得る。
【０００７】
好ましくは、第１延伸部又は第２延伸部には信号ケーブルを設置可能である。
【０００８】
好ましくは、第１延伸部又は第２延伸部は、信号ケーブルを固定するための蓋体を有し得る。
【０００９】
好ましくは、第１延伸部は、第１曲率で把持本体の第１端から延伸するよう設置され、第２延伸部は、第２曲率で前記把持本体の第２端から延伸するよう設置され、第１曲率と第２曲率の曲率方向は同一ではない。
【００１０】
好ましくは、押動レバー部から第１延伸部までを第１手掌当接部とすればよい。
【００１１】
好ましくは、押動レバー部から第２延伸部までを第２手掌当接部とすればよい。
【００１２】
好ましくは、第１延伸部の長さを約９０ｍｍ超とし、且つ、第２延伸部の長さを約９０ｍｍ超とすればよい。
【００１３】
以下に、本考案の目的、技術内容、特性及び奏し得る効果をより理解しやすいよう、具体的実施例に添付の図面を組み合わせて詳細に説明する。
【図面の簡単な説明】
【００１４】
【図１】図１は、本考案の一実施例に基づく内視鏡のハンドルの側面図である。
【図２】図２は、本考案の一実施例に基づく内視鏡のハンドルの操作を示す図である。
【図３】図３は、本考案の一実施例に基づく内視鏡のハンドルの操作を示す図である。
【図４】図４は、本考案の一実施例に基づく内視鏡のハンドルの操作を示す図である。
【考案を実施するための形態】
【００１５】
以下に、本考案の各実施例について詳述するとともに、一例として図面を組み合わせる。なお、これらの詳細な説明のほか、本考案はその他の実施例においても幅広く実施可能である。よって、上記実施例の簡単な置き換え、修正、等価の変形はいずれも本考案の範囲に含まれ、且つ請求の範囲に準じるものとする。明細書の記載では、読者が本考案を効率的且つ完全に理解できるよう、特定の詳細事項を数多く提示している。しかし、本考案は、特定の詳細事項の一部又は全てを省略したとしても実施可能である。このほか、本考案を不要に制限しないよう、周知のステップ又は部材については詳細事項に記載していない。また、図中の同一又は類似の部材は、同一又は類似の符号で示している。特に注意すべき点として、図面は概要を示しているにすぎず、部材の実際のサイズ又は数を表しているわけではない。よって、図面の簡略化のために、詳細事項の一部については完全に記載していない場合がある。
【００１６】
図１を参照して、本考案の一実施例における内視鏡のハンドル１００は、把持本体１０、第１延伸部２０１及び第２延伸部２０２を含む。把持本体１０は、複数の指用把持凹溝１１、及び複数の指用把持凹溝１１と対向して設置される押動レバー部１２を含む。操作者は、本考案における内視鏡のハンドル１００を使用する場合、図２に示すように、親指以外の指で複数の指用把持凹溝１１を把持し、親指を押動レバー部１２に押し当てることで、本考案における内視鏡のハンドル１００を把取可能である。本考案におけるハンドル１００の指用把持凹溝１１の数及びサイズに特に制限はなく、必要性や指での握りやすさを考慮して、指用把持凹溝１１の数及びサイズを調整すればよい。このほか、説明すべき点として、本考案における内視鏡のハンドルの把取方式はこれに限らない。この点については、以降で詳細に説明する。
【００１７】
再び図１を参照して、本考案の一実施例における内視鏡のハンドル１００は、第１延伸部２０１及び第２延伸部２０２を更に含んでいてもよい。第１延伸部２０１は、把持本体１０の第１端１０１から延伸するよう設置されており、第２延伸部２０２は、把持本体１０の第２端１０２から第１端１０１とは反対の方向に延伸するよう設置されている。また、把持本体１０の第１端１０１は第２端１０２と対向している。
【００１８】
本考案の一実施例によれば、図１に示すように、第１延伸部２０１には、被検者の探査対象器官又は組織に挿入するための診察チューブ２０を設置可能である。また、第２延伸部２０２には、電気信号を伝送するための信号ケーブル３０を設置可能である。本実施例において、第１延伸部２０１及び第２延伸部は、これらに設置される診察チューブ２０及び信号ケーブル３０をそれぞれ保護するための蓋体４０を各々備えてもよい。ただし、図示していないが、本考案はこれに限らない。必要に応じて、信号ケーブル３０を第１延伸部２０１に設置するとともに、診察チューブ２０を第２延伸部２０２に設置し、第１延伸部２０１及び第２延伸部が、信号ケーブル３０及び診察チューブ２０をそれぞれ保護するための蓋体４０を各々備えてもよい。なお、蓋体４０は弾性の材質を有してもよい。
【００１９】
本考案の一実施例によれば、第１延伸部２０１は、第１曲率で把持本体１０の第１端１０１から延伸するよう設置され、第２延伸部２０２は、第２曲率で把持本体１０の第２端１０２から延伸するよう設置される。ここで、第１曲率と第２曲率の曲率方向は同一ではない。一例を挙げると、図１に示すように、第１曲率の方向と第２曲率の方向は互いに反対となっているため、第１延伸部２０１と第２延伸部２０２は互いに反対の方向に湾曲しながら延伸している。これにより、本考案のハンドル１０は全体構造がＳ字型の曲線形状をなしているため、操作者が把持するのに有利である。
【００２０】
ただし、本考案はこれに限らない。上記の第１曲率及び第２曲率の曲率方向と角度は、必要に応じて調整してもよい。一例を挙げると、第１延伸部２０１と第２延伸部２０２は同じ方向に湾曲しながら延伸してもよいし、第１曲率と第２曲率の弯曲角度が０であってもよい。本考案の一実施例によれば、把持本体１０の第１端１０１から延伸する第１延伸部２０１の長さは９０ｍｍよりも大きければよく、把持本体１０の第２端１０２から延伸する第２延伸部２０２の長さは９０ｍｍよりも大きければよい。このように設置することで、図２〜図４に示すように、操作者が本考案における内視鏡のハンドルを把持する際に、第１延伸部２０１及び第２延伸部２０２はいずれも操作者が握る手の平の開口から延出可能となるため、内視鏡を操作するのに有利となり得る。
【００２１】
本考案の一実施例によれば、図１に示すように、押動レバー部１２から第１延伸部２０１までを第１手掌当接部１２１とし、押動レバー部１２から第２延伸部２０２までを第２手掌当接部１２２とすればよい。操作者が本考案における内視鏡のハンドル１００を把持する際には、図２に示すように、操作者の手２００は、親指以外の指で複数の指用把持凹溝１１を把持し、親指を押動レバー部１２に押し当てればよい。また、操作者の手２００の親指から手首までの手掌部位は、本考案におけるハンドルの第１手掌当接部１２１に押し当てればよい。この実施例では、操作者は直立状に本考案のハンドル１００を把持する。このような持ち方は、操作者の位置が被検者よりも高い場合や、被検者が臥位或いは座位、立位の場合に好適である。
【００２２】
本考案の他の実施例では、図３を参照して、操作者の手２００は、親指以外の指で複数の指用把持凹溝１１を把持し、親指を押動レバー部１２に押し当てることで、本考案における内視鏡のハンドル１００を把取可能である。また、操作者の手２００の親指から手首までの手掌部位は、本考案におけるハンドルの第１手掌当接部１２１に押し当てればよい。この実施例では、操作者は水平に本考案のハンドル１００を把持する。
【００２３】
本考案の更なる実施例では、図４を参照して、操作者の手２００は、親指以外の指で複数の指用把持凹溝１１を把持し、親指を押動レバー部１２に押し当てることで、本考案における内視鏡のハンドル１００を把取可能である。また、操作者の手２００の親指から手首までの手掌部位は、本考案におけるハンドルの第２手掌当接部１２２に押し当てればよい。この実施例では、操作者は銃型の把取方式で本考案のハンドル１００を把持する。このような持ち方は、操作者の位置が被検者よりも低いか、同じ高さの場合、或いは被検者が座位、立位の場合に好適である。
【００２４】
上記の実施例から理解可能なように、本考案で設計される内視鏡のハンドルの構造によれば、操作者は、直立状の把取、水平状の把取又は銃型の把取が可能なため、異なる検査場面（被検者が臥位或いは座位、立位）に幅広く応用可能なだけでなく、操作者が各種把取方式を手軽に切り替えることも可能である。よって、内視鏡検査の効率向上に有利となり得、且つ操作の使用範囲を拡大可能であるほか、より良好な操作の利便性を提供可能である。
【００２５】
上記で記載した実施例は本考案の技術思想及び特性を説明するためのものにすぎず、当該技術を熟知する者に本考案の内容を理解させ、実施可能とすることを目的としている。よって、これにより本考案の権利範囲は限定されず、本考案で開示した精神に基づき実施される等価の変形又は補足は、いずれも本考案の権利範囲に含まれるものとする。
【符号の説明】
【００２６】
１０  把持本体
１１  指用把持凹溝
１２  押動レバー部
２０  診察チューブ
３０  信号ケーブル
４０  蓋体
１００  内視鏡のハンドル
１０１  第１端
１０２  第２端
１２１  第１手掌当接部
１２２  第２手掌当接部
２００  操作者の手
２０１  第１延伸部
２０２  第２延伸部
【図１】
0003233608.tif 000003
【図２】
0003233608.tif 000004
【図３】
0003233608.tif 000005
【図４】
0003233608.tif 000006